(57)【要約】【課題】光ディスク演奏装置の、ピックアップ走行駆動系のラックギアのバックラシュ防止手段の信頼性を向上させる。【解決する手段】ピックアップボディ４上に、該ボディの走行方向と略直交する面内でボディ４に対して回転可能にラックギア５を設け、該ラックギアをピニオンギア６の回転によって駆動し、該ラックギア５と一体的にボディ４を走行させる駆動機構７において、ラックギア５又はボディ４上に、ラックギア５及びボディ４とは別体のバネ部材８を配備し、該バネ部材８に、ラックギア５をピニオンギア６側に付勢する第１付勢部８１と、ラックギア５をボディの走行方向に付勢してボディ４の一部に当てる第２付勢部８２を形成している。バネ部材（８）を、バネ特性及び耐久性に優れた材料で形成することにより、バックラッシュ防止手段の信頼性が向上する。【選択図】  図２
2004332745.tif 000002
【特許請求の範囲】
【請求項１】
ボディ（４）上に、該ボディの走行方向と略直交する面内でボディ（４）に対して回転可能にラックギア（５）を設け、該ラックギアをピニオンギア（６）の回転によって駆動し、該ラックギア（５）と一体的にボディ（４）を走行させる駆動機構（７）のバックラッシュ防止手段であって、ラックギア（５）又はボディ（４）上に、ラックギア（５）及びボディ（４）とは別体のバネ部材（８）が配備され、該バネ部材（８）は、ラックギア（５）をピニオンギア（６）側に付勢する第１付勢部（８１）と、ラックギア（５）をボディ（４）の走行方向に付勢してボディ（４）の一部に当てる第２付勢部（８２）を有しているラックギアのバックラッシュ防止手段。
【請求項２】
ラックギア（５）は、ボディ（４）を走行案内するレール（２１）に回転可能に取り付けられている請求項１に記載のバックラッシュ防止手段。
【請求項３】
バネ部材（８）は１本のバネ材を略Ｖ字状に屈曲して形成され、一端をホディ（４）又はラック（５）に係止し、他端の自由端を相手部材に当てており、バネ部材（８）の係止側端部に第２付勢部（８２）を有している請求項１又は２に記載のバックラッシュ防止手段。
【請求項４】
バネ部材（８）は、１本のバネ鋼線の中間部を複数回コイル状に巻き重ねて両側を略Ｖ字状に開き、一方の端部に相手部材との当り部（８１ａ）を形成し、他方の端部を複数回コイル状に巻き重ねると共に巻き重ね終端部を外側に突出させて第２付勢部（８２）を形成している請求項１乃至３の何れかに記載のバックラッシュ防止手段。
【請求項５】
請求項１乃至４の何れかに記載のバックラッシュ防止手段を具え、ホディ（４）は光ディスク再生用のレンズ（３１）を搭載しているディスク演奏装置。
【発明の詳細な説明】
【０００１】
【発明の属する分野】
本発明は、ラックギアのバックラッシュ防止手段及び該手段を具えたディスク演奏装置に関するものである。
【０００２】
【従来の技術】
光ディスク再生用のピックアップは、ピックアップ上に設けたラックギアがピニオンギアと噛み合うことで駆動され、ディスクの半径方向に走行して演奏を行う。
光ディスク再生性能の向上のためには、ラックギアのバックラッシュを防止する手段を講じる必要があり、これには二重ラックギア方式とラックギア付勢方式がある。
前者は、ピックアップ上のラックギアに、別のラックギアをボディの走行方向にスライド可能に重ねると共に該ラックギアをスライド方向に付勢する。
両ラックギアの歯で、ピニオンギアの歯を挟み付けてバックラッシュを無くしている。
後者は、図９に示す如く、ピックアップ（３）上に、バネ片（５０）を一体に具えたラックギア（５）を、該バネ片（５０）をピックアップ（３）に固定して取り付け、該ラックギア（５）をバネ片（５０）でピニオンギア（６）に付勢することによりバックラッシュを無くしている（特許文献１）。
【０００３】
【本発明が解決しようとする課題】
前者の場合、ラックギアは２つ必要であり、１つのラックギアはピックアップにネジ止め固定しなければならず、部品点数が増え、組立に手間が掛かった。
後者の場合、ラックギア（５）をピニオンギア（６）側に付勢するバネ片（５０）は樹脂製ラックギア（５）と一体に成形されており、コスト面では、２重ラックギア方式よりも有利である。しかし、ラックギア（５）を成形する樹脂、即ち、バネ材料としては優れているとは言えない材料で形成されたバネ片（５０）は、熱劣化、経年劣化等によりバネ力が低下し、信頼性に問題があった。
本発明は上記問題を解決できるラックギアのバックラッシュ防止手段及び該手段を具えたディスク演奏装置に関する。
【０００４】
【特許文献１】
特開平９−６３２１３号
【０００５】
【課題を解決する手段】
本発明のバックラッシュ防止手段は、ボディ（４）上に、該ボディの走行方向と略直交する面内でボディ（４）に対して回転可能にラックギア（５）を設け、該ラックギアをピニオンギア（６）の回転によって駆動し、該ラックギア（５）と一体的にボディ（４）を走行させる駆動機構（７）において、ラックギア（５）又はボディ（４）上に、ラックギア（５）及びボディ（４）とは別体のバネ部材（８）を配備し、該バネ部材（８）に、ラックギア（５）をピニオンギア（６）側に付勢する第１付勢部（８１）と、ラックギア（５）をボディの走行方向に付勢してボディ（４）の一部に当てる第２付勢部（８２）を形成している。
【０００６】
本発明のディスク演奏装置は、上記バックラッシュ防止手段を具えると共に、ボディ（４）に光ディスク再生用のレンズ（３１）を搭載している。
【０００７】
【作用及び効果】
ラックギア（５）をピニオンギア（６）側に付勢してラックギア（５）のバックラッシュを無くすことと、ラックギア（５）をボディ（４）に押しつけて、ホディ（４）の走行方向に対するホディ（４）とラックギア（５）のガタツキを防止することを、１つのバネ部材（８）によって実現できるため、バックラッシュ防止手段の構成を簡素化できる。
又、バネ部材（８）は、ラックギア（５）及びボティ（４）とは別体であるから、バネ鋼等、バネ特性、耐久性に優れた材料で形成出来、従来の樹脂によってラックギア（５）と一体に成形したバネ片（５０）で発生する熱劣化、経年劣化等による信頼性の問題を解消できる。
【０００８】
【発明の実施の形態】
図１は、光ディスク再生装置において、シャーシ（１）上に、ピックアップ（３）、該ピックアップの走行駆動機構（７）及びターンテーブル（９）を配備した状態を示している。
ピックアップ（３）は、ボディ（４）に光ディスク再生用の対物レンズ（３１）を搭載して構成され、シャーシ（１）上の案内部材（２）に沿って直線的に走行可能に配備されている。
ピックアップ（３）の走行路の一端側にターンテーブル（９）が配備され、該ターンテーブル（９）は、図６、図７に示す如く、シャーシ（１）裏面に設けたターンテーブル駆動モータ（９１）に連繋されている。
案内部材（２）は丸軸状の第１レール（２１）と第２レール（２２）からなる。
【０００９】
図２に示す如く、ピックアップ（３）のボディ（４）は、走行方向（矢印Ｘ方向）と直交する方向の両端に上記レール（２１）（２２）への取付け部（４１）（４３）を有している。
一方の取付け部（４１）は両端に取付け片（４２ａ）（４２ｂ）を有し、前記第１レール（２１）が両取付け片（４２ａ）（４２ｂ）を貫通している。
他方の取付け部（４３）は第２レール（２２）にスライド可能に係合している。
【００１０】
図３に示す如く、ボディ（４）の第１レール（２１）側の取付け部（４１）側にラックギア（５）が配備される。
図２、図４に示す如く、ラックギア（５）は、後記するバネ部材（８）を取付けるバネ取付け部（５１）の長手方向の側縁にラック面（５２）を形成し、ラック面（５２）の両端部近傍に支持片（５３）（５４）を突設している。
前記第１レール（２１）が上記ラックギア（５）の両支持片（５３）（５４）を貫通しており、前記ピックアップ（３）の取付け部（４１）は、ラックギア（５）の両支持片（５３）（５４）間にボディ（４）のスライド方向に余裕のある状態に嵌まっている。
ラックギア（５）は、レール（２１）を中心に回動可能である。
【００１１】
図１、図６に示す如く、駆動機構（７）は、モータ（７１）に減速ギア列（７２）を連繋し、該減速ギア列（７２）の最終段のピニオンギア（６）を上記ラックギア（５）のラック面（５２）に噛合させて構成される。
【００１２】
ピニオンギア（６）に対するラックギア（５）のバックラッシュ防止手段であるバネ部材（８）が、ラックギア（５）のバネ取付け部（５１）に取り付けられる。
図４、図５に示す如く、バネ部材（８）は１本の金属バネ材を略Ｖ字状に屈曲して形成され、バネ部材（８）を圧縮した状態で、一端をラックギア（５）の一方の支持片（５３）側の係止部（５５）に当て、他端を相手部材、即ちボディ（４）に当てて、ラックギア（５）をピニオンギア（６）に付勢している。ラックギア（５）は、バネ部材（８）がボディ（４）を付勢する反力で、ピニオンギア（６）に付勢される。
即ち、略Ｖ字状のバネ部材（８）全体が、ラックギア（５）をピニオンギア（６）に付勢する第１付勢部（８１）となっている。
【００１３】
バネ部材（８）の、ラックギア（５）の一方の支持片（５３）側の端部には、ボディ（４）を該ホディの走行方向に付勢する第２付勢部（８２）が形成されている。
図２に示す如く、該第２付勢部（８２）と他方の支持片（５４）内面の間隔Ｌ２は、ピックアップ（３）の取付け部（４１）の取付け片（４２ａ）（４２ｂ）の外面間の間隔Ｌ１よりも少し狭い。
ボディ（４）の取付け部（４１）を、第２付勢部（８２）を外側に押し拡げて、ラックギア（５）の支持片（５３）（５５）間に嵌めることにより、該取付け部（４１）の取付け片（４２ａ）は、ラックギア（５）の支持片（５４）側に付勢され、該支持片（５４）に常時接する。
第２付勢部（８２）の付勢力は、ラックギア（５）がレール（２１）を中心に回転するのに支障のない程度の強さである。
【００１４】
実施例のバネ部材（８）について詳述すると、図５に示す如く、バネ部材（８）はバネ鋼線にて形成され、Ｖ字状屈曲部は、バネ鋼線を複数回同心に巻き重ねて環状の取付け部（８３）を形成し、第２付勢部（８２）側端部も複数回同心に巻き重ねて筒状部（８４）を形成し、筒状部（８４）の周端をＬ字状に取付け部（８３）側に延長して第２付勢部（８２）となしている。
バネ部材（８）の他端は、外側へ略Ｊ字状に折り返す様に屈曲して、ボディ（４）への当り部（８１ａ）を形成している。
【００１５】
図４に示す如く、バネ部材（８）は、環状取付け部（８３）をラックギア（５）のバネ取付け部（５１）上の円形ボス（５５）に嵌め、筒状部（８４）をラックギア（５）上の係止部（５５）に嵌め込んで係止している。
ラックギア（５）にはバネ部材（８）の直線部に被さる抜止め片（５６）が複数箇所に設けられている。
図６に示す如く、バネ部材（８）の当り部（８１ａ）は、ボディ（４）に形成した受け部（４４）に当たる。
【００１６】
然して、バネ部材（８）は、ラックギア（５）をピニオンギア（６）側に付勢してラックギア（５）のバックラッシュを無くすことができる。
又、バネ部材（８）の第２付勢部（８２）がラックギア（５）をボディ（４）の支持片（５４）に押しつけて、ホディ（４）の走行方向に対するホディ（４）とラックギア（５）のガタツキを防止できる。
即ち、ラックギア（５）のバックラッシュ防止と、ラックギア（５）とボディ（４）の走行方向のガタ付き防止を、１つのバネ部材（８）によって実現できるため、バックラッシュ防止手段の構成を簡素化できる。
又、バネ部材（８）は、ラックギア（５）及びボティ（４）とは別体であるから、バネ鋼等、バネ特性及び耐久性に優れた材料で形成出来、従来の様にラックギア（５）と一体に樹脂にて成形したバネの様に、熱劣化、経年劣化等による信頼性の問題を解消できる。
【００１７】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００１８】
例えばバネ部材（８）は、上記に限らず、例えば図８に示す如く、金属板を曲げ加工して第１付勢部（８１）と第２付勢部（８２）を金属板上に一体に形成することもできる。
【００１９】
更に実施例では、バネ部材（８）をラックギア（５）上に取り付けたが、バネ部材（８）をボディ（４）上に取り付けて、ラックギア（５）をピニオンギア（６）へ付勢すること及び、ラックギア（５）を走行方向へ付勢して常時ボディ（４）の一部に押し当てることができるのは勿論である。
【００２０】
又、本発明のラックギア（５）のバックラッシュ防止手段は、光ディスク演奏装置に限らず、ラックギア（５）を用いる他の機器にも実施できる。
【図面の簡単な説明】
【図１】ピックアップ走行駆動系の斜面図である。
【図２】ピックアップとラックギアの組立前の斜面図である。
【図３】ピックアップとラックギアの組立後の斜面図である。
【図４】ラックギアにバネ部材を組込んだ状態の斜面図である。
【図５】バネ部材の斜面図である。
【図６】ピックアップ走行駆動系の底面図である。
【図７】ピックアップ走行駆動系の底側からの斜面図である。
【図８】バネ部材の他の実施例の斜面図である。
【図９】従来のバックラッシュ防止手段を具えたピックアップ駆動系の平面図である。
【符号の説明】
（１）    シャーシ
（２）    案内部材
（３）    ピックアップ
（４）    ボディ
（５）    ラックギア
（６）    ピニオンギア
（７）    駆動機構
（８）    バネ部材
（８１）  第１付勢部
（８２）  第２付勢部
【図１】
2004332745.tif 000003
【図２】
2004332745.tif 000004
【図３】
2004332745.tif 000005
【図４】
2004332745.tif 000006
【図５】
2004332745.tif 000007
【図６】
2004332745.tif 000008
【図７】
2004332745.tif 000009
【図８】
2004332745.tif 000010
【図９】
2004332745.tif 000011